(57)【要約】【課題】  高齢者や身障者などの方々が楽に出入りできる浴槽を提供する。【解決手段】浴槽１の側壁３に切欠部６を設け、この切欠部６が開閉ユニットＵで密封封止される浴槽で、開閉ユニットＵは逆台形状の板状部材１１とこの板状部材１１が嵌め込まれる固定部材２１とで構成される。前記固定部材２１にはその両端に且つ両面に挟持板２４ａ、２４ｂおよび挟持板２５ａ、２５ｂが取り付けられており、前記挟持板２４ａ、２４ｂおよび挟持板２５ａ、２５ｂで切欠部６の周囲に位置する側壁３に挟持、固定し、切欠部６を密封封止した浴槽である。【選択図】図３
2019130267.tif 000002
【特許請求の範囲】
【請求項１】
床面から上側に突出する側壁を有する浴槽において、前記浴槽を出入りする側壁に、この側壁の上端面から前記床面側に向けて設けられた切欠部があり、前記切欠部が開閉ユニットで密封封止されている浴槽であって、
前記開閉ユニットは、板状部材と、前記板状部材が嵌り込むとともに前記浴槽の側壁に固定される固定部材とからなり、
前記板状部材は、その幅が上端から下端になるに従い狭まる板形状であるとともに、その両側壁と底部には凸部または凹部が設けられており、
前記固定部材は、前記板状部材の両側壁がそれぞれ嵌り込む一対の柱状部材と、前記一対の柱状部材を連結するとともに板状部材の底部が嵌り込む床部材と、少なくとも前記柱状部材の両側面に取り付けられた挟持板とからなり、
前記浴槽の切欠部には前記固定部材が配置され、前記固定部材の挟持板にて  前記浴槽の側壁が挟持されるとともに、前記固定部材の底部が前記浴槽の切欠部の底部に密着、固定されており、
前記板状部材の凸部または凹部が、前記固定部材の柱状部材の両側壁と底部に設けられている固定部材側凹部または固定部材側凸部に嵌め込まれていることを特徴とする浴槽。
【発明の詳細な説明】
【技術の分野】
【０００１】  この発明は浴槽の改良に関し、特に、高齢者や身障者等の方々が利用するのに適した浴槽に関する。
【背景技術】
【０００２】  一般に浴槽の深さは６０〜６５ｃｍで、洗い場の浴槽の縁までの高さが３０〜４５ｃｍのものが多く、高齢者や身障者等にとって側壁が高すぎるため、浴槽を跨いで浴槽内に入るときや、浴槽外に出るときに負担を強いられる。
このような負担を軽減するために、浴槽の出入り部の側壁に、この側壁の上面から床面側に向けて切欠かれた切欠部を設け、この切欠部を液密状態で塞ぐ開閉自在の閉塞部材を有するものが提案されている（特許文献１）。
また、浴槽のエプロンの一部に人が入れるようにドアを付け、ドアを閉めてお湯を入れてもお湯が漏れないようにした浴槽が提案されている（特許文献２）。
【先行技術文献】
【特許文献】
【０００３】
【特許文献１】特開平８−１５４８５７号公報
【特許文献２】特開２００２−３３６３２５号公報
【発明の概要】
【発明が解決しようとする課題】
【０００４】  上記したような浴槽を利用しようとすると、新規に浴槽を設置する場合は施工に困難はない。しかし、すでに浴槽を設置している場合には、既存の浴槽を撤去し、その上で新規に浴槽を設置しなければならず、浴槽の撤去、新規浴槽の施工に時間を要し、費用も嵩むことになる。
この発明は、既存の浴槽を撤去することなく、既存の浴槽を改良する構造を提案することにより、高齢者や障害者の方々が楽に出入りできる浴槽を提供することを目的とする。
【課題を解決するための手段】
【０００５】  上記した課題を解決するため、この発明の要旨とするところは、以下の構成からなる。
この発明の要旨とするところは、
床面から上側に突出する側壁を有する浴槽において、前記浴槽を出入りする側壁に、この側壁の上端面から前記床面側に向けて設けられた切欠部があり、前記切欠部が開閉ユニットで密封封止されている浴槽であって、
前記開閉ユニットは、板状部材と、前記板状部材が嵌り込むとともに前記浴槽の側壁に固定される固定部材とからなり、
前記板状部材は、その幅が上端から下端になるに従い狭まる板形状であるとともに、その両側壁と底部には凸部または凹部が設けられており、
前記固定部材は、前記板状部材の両側壁がそれぞれ嵌り込む一対の柱状部材と、前記一対の柱状部材を連結するとともに板状部材の底部が嵌り込む床部材と、少なくとも前記柱状部材の両側面に取り付けられた挟持板とからなり、
前記浴槽の切欠部には前記固定部材が配置され、前記固定部材の挟持板にて  前記浴槽の側壁が挟持されるとともに、前記固定部材の底部が前記浴槽の切欠部の底部に密着、固定されており、
前記板状部材の凸部または凹部が、前記固定部材の柱状部材の両側壁と底部に設けられている固定部材側凹部または固定部材側凸部に嵌め込まれていることを特徴とする浴槽である。
【発明の効果】
【０００６】  この発明にかかる浴槽によれば、高齢者、身障者の方々であっても、開放された切欠部を通して浴槽内や浴槽外に足を楽に出し入れすることができる。
また、この発明にかかる浴槽によれば、既存の浴槽に改良を加えることで、浴槽を撤去せずに高齢者、障害者の方々が楽に出入りできる浴槽が提供できる。
さらに、浴槽の側壁に取り外しのできる板状部材を設けた浴槽は、板状部材を取り外すことで浴槽の側壁の一部を低くすることができ、身障者や高齢者の方々が入浴しやすくなる。
【図面の簡単な説明】
【０００７】
【図１】浴室内に設置している浴槽を示す斜視図であり、浴槽の側壁を切欠く位置を示す斜視図である。
【図２】この発明に係る浴槽において、浴槽の切欠部を閉塞するための開閉ユニットを説明するため斜視図である。
【図３】この発明に係る浴糟を説明するための斜視図であり、開閉ユニットのうち固定部材が浴槽にセットされているとともに、開閉ユニットの板状部材をセットする前の状態を示している。
【図４】この発明に係る浴糟を説明するための斜視図であり、開閉ユニットを浴槽にセットした後の状態を示している。
【発明を実施するための形態】
【０００８】  以下、本発明の実施形態を図面に基づいて説明する。
図１は、浴室内に設置した浴槽を示す斜視図で、浴槽１に開閉ユニットがセット、固定される前の状態を示している。
【０００９】  図１において、浴室に設置されている浴槽１は床面２から上側に側壁３が突出している。浴槽１の出入り側の側壁３には、破線４で区画され、床面１から側壁上面に向けて延びる逆台形状の側壁板材５が示されている。この側壁板材５の底部は床面２より上方に位置している。破線４で区画されて切断された側壁板材５を取り除くと、切欠き部６が形成され、この切欠き部６で形成された空間が後に説明する開閉ユニットをセットする場所となる。
【００１０】  図２はこの発明で用いられる開閉ユニットＵを示している。この開閉ユニットＵは、板状部材１１と、この板状部材１１が嵌合されるとともに、図１に示す浴槽１の側壁３に固定される固定部材２１とから構成されている。
まず、固定部材２１の構成について先に説明する。この固定部材２１は一対の柱状部材２２ａ、２２ｂと床部材２３とからなる。より具体的には、一対の柱状部材２２ａ、２２ｂは板状部材１１の両側に位置しており、この板状部材１１の両側壁が柱状部材２２ａ、２２ｂにそれぞれ嵌合される。また、床部材２３には板状部材１１の底部が嵌合される。
【００１１】  これら柱状部材２２ａ、２２ｂと床部材２３とは一体になった逆台形状の空間を形成しており、板状部材１１が嵌合して受入れられるスペースＳを形成している。柱状部材２２ａの両面には挟持板２４ａ、２４ｂが取り付けられており、挟持板２４ａと挟持板２４ｂとの間には空間２６が設けられている。また柱状部材２２ｂの両面には挟持板２５ａ、２５ｂが取り付けられており、挟持板２５ａと挟持板２５ｂとの間には空間２７が設けられている。
【００１２】  次ぎに、板状部材１１について説明する。この板状部材１１の左右の側壁にはそれぞれ凸部１２ａ、凸部１２ｂが設けられており、底部にも凸部１３が設けられている。凸部１２ａ、凸部１２ｂと凸部１３はそれらの端部同士が互いに繋がっており、その幅が上端から下端になるに従い狭まる板形状で、逆台形状の板状部材１１に密着状態で嵌め合わされる。なお、凸部１２ａ、凸部１２ｂ、および凸部１３としては、弾性材、たとえば、ゴム材などが用いられ、固定部材２１と密着状態が作りだせるものが用いられる。また板状部材１１の上面には取っ手１４が取り付けられている。
【００１３】  以上の構成からなる開閉ユニットＵにおいて、固定部材２１に板状部材１１を嵌合することについて説明する。
固定部材２１の柱状部材２２ａ、２２ｂのスペースＳ側の側壁には固定部材側凹部２８ａ、２８ｂが設けられており、固定部材２１の床部材２３の上面にも固定部材側凹部２９が設けられている。板状部材１１を固定部材２１のスペースＳに向けて、上方から下方に向けて下げて行き、板状部材１１の凸部１２ａ、凸部１２を固定部材２１の固定部材側凹部２８ａ、２８ｂに嵌め合せる。さらに板状部材１１をその底部にある凸部１３が固定部材２１の固定部材側凹部２９に嵌め合うまで押し込むことにより、互いに密着し、水漏れ等が発生しない状態となる。
【００１４】  固定部材側凹部２８ａ、２８ｂ、および２９を構成する素材としては、板状部材１１の凸部１２ａ、凸部１２ｂ、および凸部１３と密着し、かつ板状部材１１を上下動させるときに障害がない素材を用いればよい。また、固定部材側凹部２８ａ、２８ｂ、および２９を構成する素材として、凸部１２ａ、凸部１２ｂ、および凸部１３の構成材料として用いるゴムなどの弾性材を用いてもよい。固定部材側凹部２８ａ、２８ｂ、および２９を構成する素材としてゴムなどの構成材料を用いた場合、板状部材１１を上下動させるときに障害がなければ、凸部１２ａ、凸部１２ｂ、および凸部１３の構成材料にもゴムを用いてもよい。
【００１５】  次に、図２に示した開閉ユニットＵを図３に示した浴槽１に取り付ける様子を説明する。
まず、図１に示した浴槽１の側壁板材５を取除いた切欠部６の位置に、図２に示した開閉ユニットＵのうち固定部材２１を配置、固定する。具体的には、図２に示した固定部材２１の空間２６および空間２７を図３に示すように浴槽１の側壁３に配置する。固定部材２１を配置する前または配置した後あるいは配置前後に、固定部材２１は浴槽１の側壁３に接着剤などを用いてしっかりと固定するとともに、床部材２３の底部も切欠部６の底部に接着剤などで固定し、密着状態に仕上げる。
【００１６】  図４は切欠部６に開閉ユニットＵをセットした浴槽１を示している。なお、開閉ユニットＵを浴糟１にセットするに当っては、板状部材１１はあらかじめ固定部材２１に嵌め込んでいてもよいし、固定部材２１を浴槽１に取り付けた後に板状部材１１を嵌め込んでもよい。
【００１７】  上記した例では、板状部材１１の両側壁と底部に凸部を設けたが、凸部の代わりに凹部を設けてもよい。この場合、板状部材１１の凹部に対応して固定部材２１の柱状部材２２ａ、２２ｂおよび床部材２３として、板状部材１１の凹部に嵌り合う凸部を設けたものを用いればよい。
【００１８】  このような構成からなる浴槽１を利用する場合、固定部材２１の柱状部材２２ａ、２２ｂおよび床部材２３で囲まれるスペースＳに対して、開閉ユニットＵの板状部材１１を上下方向に移動させることになる。すなわち、板状部材１１を上方に持ち上げると、図１に示した浴槽１の切欠部６に対応する箇所が開放され、高齢者、身障者の方々が低くなった切欠部６から浴槽１内に容易にかつ安定した状態で楽に入れることができる。また、板状部材１１を押下げて切欠部６を閉塞し、浴槽１内に湯を注入すれば、湯面は従来の浴槽の湯面と同一レベルとなり、入浴が可能となる。
【００１９】  浴槽１から出る場合は、浴槽１からお湯を浴槽１の底部にある排出口から流出させる一方、板状部材１１を上方に持ち上げると、切欠部６が開放され、高齢者、身障者の方々が浴槽１内から低くなった切欠部６を跨いで浴槽２から安定した状態で楽に出ることができる。
【符号の説明】
【００２０】１    浴槽
２    床面
３    側壁
５    側壁板材
６    切欠部
１１  板状部材
１２ａ、１２ｂ  凸部
１３  凸部
２１  固定部材
２２ａ、２２ｂ  柱状部材
２３    床部材
２４ａ、２４ｂ  挟持板
２５ａ、２５ｂ  挟持板
２８ａ、２８ｂ  固定部材側凹部
２９    固定部材側凹部
Ｓ      スペース
Ｕ      開閉ユニット
【図１】
2019130267.tif 000003
【図２】
2019130267.tif 000004
【図３】
2019130267.tif 000005
【図４】
2019130267.tif 000006